(57)【要約】【課題】携帯電話機等を片手で保持する際に、人差し指を使わずに安定保持することができ、人差し指をキー操作のために使用することを可能とする保持装置を提供すること。【解決手段】携帯電話機等の背面に両端部が固定されたベルト状または紐状の指掛止部材を設けて、前記固定された両端部間における前記指掛止部材の長さを、前記指掛止部材と携帯電話機等の間に携帯電話機等を保持する手の薬指を挿入できる隙間が形成される長さであると共に、前記薬指を挿入後に他の指で前記指掛止部材の外側を押圧することにより、前記指掛止部材が前記挿入した薬指を締め付けて固定することができる長さとした。【選択図】      図２
2007036619.tif 000002
【特許請求の範囲】
【請求項１】
携帯型操作機の背面に両端部が固定されたベルト状または紐状の指掛止部材を有する携帯型操作機の保持装置において、前記固定された両端部間における前記指掛止部材の長さが、前記指掛止部材と携帯型操作機の間に携帯型操作機を保持する手の１本の指を挿入できる隙間が形成される長さであると共に、前記指を挿入後に他の指で前記指掛止部材の外側を押圧することにより、前記指掛止部材が前記挿入した指を締め付けて固定することができる長さであることを特徴とする携帯型操作機の保持装置。
【請求項２】
前記指掛止部材の一方の端部が二股に形成されていることを特徴とする請求項１に記載の携帯型操作機の保持装置。
【請求項３】
携帯型操作機本体と着脱可能に形成されていることを特徴とする請求項１または請求項２に記載の携帯型操作機の保持装置。
【請求項４】
前記指掛止部材が、前記隙間に挿入される１本の指をカバーする部分が幅広に形成されたものであることを特徴とする請求項１ないし請求項３のいずれかの１項に記載の携帯型操作機の保持装置。
【請求項５】
前記指掛止部材が、前記隙間に挿入される１本の指をカバーする部分に着脱可能なカバー材が設けられたものであることを特徴とする請求項１ないし請求項４のいずれかの１項に記載の携帯型操作機の保持装置。
【発明の詳細な説明】
【技術分野】
【０００１】
本発明は、携帯電話機やコンピュータゲーム機用コントローラ等の携帯型操作機を、使用者が手で保持してキー操作する際の保持装置に関するものである。
【背景技術】
【０００２】
従来、携帯電話機用保持補助装置として、携帯電話機の操作部でない背面側に、たとえばループ状に形成されたベルト状の、指などを掛止保持する部材を設けたものが知られている（たとえば特許文献１参照）。
このように背面側に指掛止部材を形成することにより、片手で安定保持して携帯電話機を持つことができるという効果が得られる。
【特許文献１】特開２００３−１６４３１９号
【発明の開示】
【発明が解決しようとする課題】
【０００３】
従来の技術では、携帯電話機のキー操作は、主として親指を使用することが前提となっているので、たとえば前記特許文献１では、指掛止部材に人差し指を掛止する場合が示されている（図８）。しかし、人差し指を掛止することによって携帯電話機の保持を行うのでは、キー操作は相変わらず親指で行うこととなり、携帯電話機のキーの操作性を向上させることまでは出来ない。
【０００４】
近年、ワイヤレス通信技術や小型化技術によって、様々な携帯型操作機が開発されてきている。その技術開発は世界的な規模での競争になっていて、コンピュータや家庭電気製品での次世代商品の市場をも左右するものになると予想される。
しかし、そこでの熾烈な技術競争にもかかわらず、指操作による入力作業はなかなか簡単になっていない。現在までの携帯型操作機の場合、ほとんどが片手で握って操作するために親指１本で多様な操作を行っている状態である。特に携帯電話機のメール作成時には頻繁にキーを操作する必要があるが、多種多様な機能を使いこなすために、大変ぎこちない指操作を強いられている。
今後、携帯型操作機は日常生活やビジネスに必須の道具になって行くと考えられるため、高齢者も子供も、さらにはハンディキャップのある方にとっても、操作性の簡便さが重要課題である。携帯操作機を握りながらの親指１本の操作に頼っている限りにおいては、さらなる携帯型操作機の可能性は閉ざされたままである。
【０００５】
そこで本発明は、単に片手で安定保持して携帯電話機を持つばかりで
はなく、さらに進んで、携帯電話機やゲーム機用コントローラ等の携帯型操作機を、持ち手の親指ばかりでなく人差し指もキー操作のために使用可能にするように携帯型操作機を保持することを目的としている。
【課題を解決するための手段】
【０００６】
上述の目的を達成するため、本願請求項１に記載の発明は、携帯型操作機の背面に両端部が固定されたベルト状または紐状の指掛止部材を有する携帯型操作機の保持装置において、前記固定された両端部間における前記指掛止部材の長さが、前記指掛止部材と携帯型操作機の間に携帯型操作機を保持する手の１本の指を挿入できる隙間が形成される長さであると共に、前記指を挿入後に他の指で前記指掛止部材の外側を押圧することにより、前記指掛止部材が前記挿入した指を締め付けて固定することができる長さであることを特徴とする手段とした。
【０００７】
また、本願請求項２に記載の発明は、請求項１に記載の携帯型操作機の保持装置において、前記指掛止部材の一方の端部が二股に形成されていることを特徴とする
手段とした。
【０００８】
請求項３に記載の発明は、請求項１または請求項２に記載の携帯型操作機の保持装置において、携帯型操作機本体と着脱可能に形成されていることを特徴とする手段とした。
【０００９】
請求項４に記載の発明は、請求項１ないし請求項３のいずれかの１項に記載の携帯型操作機の保持装置において、前記指掛止部材が、前記隙間に挿入される１本の指をカバーする部分が幅広に形成されたものであることを特徴とする手段とした。
【００１０】
さらに、請求項５に記載の発明は、請求項１ないし請求項４のいずれかの１項に記載の携帯型操作機の保持装置において、前記指掛止部材が、前記隙間に挿入される１本の指をカバーする部分に着脱可能なカバー材が設けられたものであることを特徴とする手段とした。
【発明の効果】
【００１１】
請求項１に記載の携帯型操作機の保持装置にあっては、たとえば携帯型操作機を保持するために、指掛止部材と携帯型操作機の間の隙間に挿入される１本の指として薬指を選択すれば、薬指に指掛止部材を締め付け、中指と小指で外側から押圧して固定することにより、人差し指を使わずに携帯型操作機をしっかりと保持出来るので、人差し指もキー操作のために使用できるという効果が得られる。
【００１２】
したがって、携帯型操作機の保持にほとんど力を要しなくなり、落ちにくくなるほか、掌が自由に動かせるので、指も楽に動かすことが出来、その可動範囲も広くなる。加えて、親指の他に人差し指が使用できることで、キー操作のスピードも速くなるという効果が得られる。
【００１３】
さらに、親指だけに頼るキーの配列や入力操作プログラムから脱却して、持ち手の親指と人差し指２本の指を用いてキー操作を行うゲーム機用コントローラなどのように、新しい携帯型操作機の設計が可能になる。たとえば外観的には、手で握って使うことから生じるサイズや形状の限界から解放され、自由なサイズと形状の選択が可能となる。また、薄型とか超小型でありながら操作が楽に行えるものが設計可能となるという効果が得られる。
【００１４】
次に、請求項２に記載の携帯型操作機の保持装置にあっては、携帯電話機の背面にカメラレンズが設けられている携帯電話機に対しても、指掛止部材を二股にして、指掛止部材がレンズ部を覆うことを回避することにより、人差し指もキー操作のために使用可能にする保持装置を装着できるという効果が得られる。
【００１５】
請求項３に記載の携帯型操作機の保持装置にあっては、携帯型操作機本体と着脱可能に形成することにより、携帯型操作機のアフターマーケットにおいて、追加アクセサリー商品として、人差し指もキー操作のために使用可能にする保持装置を提供でき、また、前記保持装置が傷んだ場合の交換も容易にできるという効果が得られる。
【００１６】
請求項４に記載の携帯型操作機の保持装置にあっては、指掛止部材と携帯型操作機の間の隙間に挿入される指をカバーする部分が幅広に形成されているため、指を押さえる部分の面積が大きくなり、指を挿入固定する際に小さな押圧力で固定することができる。また、仮にこの部分の幅が狭ければ、指を挿入した後、確実に保持するために指を奥まで挿入するなど、指を固定する位置を調整する必要があるが、挿入した指を押さえる部分を幅広に形成することにより指を広範囲に押さえるように出来ることから、指を挿入後のバランスがとりやすく指の位置決めが簡単に行え、指の固定が一層容易に行えるという効果が得られる。
【００１７】
さらに、請求項５に記載の携帯型操作機の保持装置にあっては、指掛止部材と携帯型操作機の間の隙間に押入される指をカバーする部分に着脱可能なカバー材を設けることにより、需要者の嗜好などに応じて、カバー材の意匠デザインを自由に交換出来るという効果が得られる。
【発明を実施するための最良の形態】
【００１８】
以下に、本発明の実施の形態を図面に基づいて説明する。
【００１９】
（実施の形態１）
実施の形態１は、持ち手の親指と人差し指でキー操作を行うゲーム機用コントローラ１に本発明を適用した例であり、これを図１および図２により説明する。
【００２０】
図１は前記ゲーム機用コントローラ１を正面側から示す図であり、前記ゲーム機用コントローラ１は、親指で操作する押しボタンスイッチ２、３と、人差し指で操作する回転スイッチ４と、表示部５を備えている。図１に示すようなデザインのゲーム機用コントローラでは、これを片手で持ちつつ操作しようとすると、仮に背面側に何も設けられていないとすれば、親指や人差し指で操作しようとするたびにゲーム機用コントローラ１が手から落ちそうになり、十分な操作を行うことが出来ない。
図２は、前記ゲーム機用コントローラ１の背面側を示す図である。背面側には、ベルト状の指掛止部材６がその両端部７ａ、７ｂで固定して取り付けられている。両端部７ａと７ｂの間の適切な距離は、本来は指の太さを考慮して決定すべきであるが、実験上の知見としては概ね５センチメートルから６センチメートル程度が適当な距離であった。また、このベルト状の指掛止部材６の長さは、前記指掛止部材６と前記ゲーム機用コントローラ１の間に、前記ゲーム機用コントローラ１を保持する手の薬指１本が容易に挿入出来る隙間が形成される長さであると共に、薬指を挿入後に他の指で前記指掛止部材の外側を押圧することにより、前記指掛止部材が前記挿入した薬指を締め付けて固定することができる長さとする。
【００２１】
前記ゲーム機用コントローラ１を持つ際には、図示するように薬指を前記指掛止部材６に挿入すると共に、挿入後に他の指で、すなわち薬指の両脇の中指と小指で前記指掛止部材６を外側から押圧する。すると、薬指は前記指掛止部材６により締め付けられ、前記ゲーム機用コントローラ１に固定される。したがって、前記ゲーム機用コントローラ１を保持する手の中指、薬指および小指の３本の指だけで前記ゲーム機用コントローラ１を安定的に保持出来るので、持ち手の親指は前記ゲーム機用コントローラ１のキー操作に自由に用いることが出来ると共に、その人差し指も回転スイッチ４の操作のために自由に用いることが出来る。
【００２２】
なお、実験上の知見ではあるが、図示のように中指、薬指および小指の３本の指をそろえておく持ち方は、特に力を加えなくても真ん中の指（薬指）を固定でき、長時間の保持も可能である。また、小指はほとんど力を入れる必要がなく、添えている程度で十分である。
【００２３】
（実施の形態２）
実施の形態２は、折りたたみ式の携帯電話機８に本発明を適用した例であり、これを図３に示す。
図３において、ベルト状の指掛止部材１６は前記携帯電話機８の背面に両端部１７ａ、１７ｂで固定されている。前記携帯電話機８を持つ際には、前記指掛止部材１６と携帯電話機８の間の隙間９に携帯電話機８を保持する手の１本の指である薬指を挿入し、挿入後に他の指で、すなわち薬指の両脇の中指と小指で指掛止部材１６を外側から押圧する。すると、薬指は指掛止部材１６により締め付けられ、前記携帯電話機８に固定される。したがって、前記携帯電話機８を保持する手の中指、薬指および小指の３本の指だけで前記携帯電話機８を安定的に保持出来るので、持ち手の親指は手の付け根部分を前記携帯電話機８から離してキー操作を行うことが可能となる。
【００２４】
従来、片手で携帯電話機を保持してメールなどのキー操作を行う際には、携帯電話機が手から落ちないように親指の付け根部分を携帯電話機に押しつけるように保持するか、掌を水平にして携帯電話機を掌に載せるように保持する場合でも、親指の付け根部分も受け部として使用しながら携帯電話機を保持していたので、親指の付け根部は基本的に携帯電話機の保持のために使っていた部分である。このように親指の付け根部分を携帯電話機の保持のために使っていると、親指の可動範囲はわずかな範囲に限られてしまう。そこで、携帯電話機のキー操作時には、親指の可動範囲を広げるために両手を用い、片手で保持しつつ他方の手でキー操作が行われることも多い。
【００２５】
しかし実施の形態２では、携帯電話機８を保持する手の親指の付け根部分を携帯電話機８から離しても片手で携帯電話機８を保持出来るので、保持している手の親指の可動範囲は格段に広くなる。したがって、片手で携帯電話機を保持しながらのキー操作が極めて容易に、しかも、親指を広範囲に動かしながら行うことができる。
【００２６】
なお、図３に示す実施の形態２では、人差し指もキー操作のために自由に使用することが出来る。しかし、一般に携帯電話機ではキー操作のために人差し指を用いるようには設計されていない。そのため、図３では薬指を挿入して携帯電話機８を保持する場合を示したが、薬指に代えて中指を挿入し、その両隣の指である人差し指と薬指で指掛止部材１６を外側から押圧して保持してもよい。
【００２７】
そのように中指を挿入して固定した場合でも、携帯電話機８を保持する手の親指の付け根部分を携帯電話機８から離して片手で携帯電話機８を保持出来るので、親指のキー操作の操作性は格段に向上する。
【００２８】
（実施の形態３）
実施の形態３は、背面側にカメラのレンズ部が設けられた携帯電話機に本発明を適用した例である。図４において、携帯電話機１０の背面側にカメラのレンズ部１１が設けられている。バンド状の指掛止部材２６は、全体としてリング状になっているバンド部分の外側部分である。前記指掛止部材２６の両端部２７ａ、２７ｂは携帯電話機１０の背面側に固定され、前記リングになっているバンド部分の内部１９は、携帯電話機を保持する手の指（薬指あるいは中指のいずれか）１本を挿入出来る隙間が設けられている。そして、カメラのレンズ部１１側にある前記指掛止部材２６の両端部２７ａは、二股に形成することによってカメラレンズへの入光を妨害しないよう空間２８を確保している。その使用方法については既に説明した実施の形態１および２と同様であるので、説明を省略する。
【００２９】
（実施の形態４）
実施の形態４を図５に基づいて説明する。実施の形態４では、携帯電話機１２の背面側に両端部３７ａ、３７ｂが固定されたベルト状の指掛止部材３６において、そのほぼ中央部分、すなわち、前記指掛止部材１６と携帯型電話機１２の間の隙間に挿入される指をカバーする部分３６ａを幅広く形成したものである。このため、指を押さえる部分の面積が大きくなり、指を挿入固定する際に小さな押圧力で固定することができる。
【００３０】
また、仮にこの部分の幅が狭ければ、指を挿入した後、確実に保持するために指を奥まで挿入するなど、指を固定する位置を調整する必要があるが、実施の形態４では指を広範囲に押さえるように出来ることから、指を挿入後のバランスがとりやすく指の位置決めが簡単に行え、指の固定が一層容易に行える。
【００３１】
（実施の形態５）
実施の形態５を図６に基づいて説明する。実施の形態５では、携帯電話機１３の背面側に両端部が固定された紐状の指掛止部材４６において、そのほぼ中央部分、すなわち、前記指掛止部材４６と携帯型電話機１３の間の隙間に挿入される指をカバーする部分にカバー材５０が設けられている。紐状の指掛止部材４６はリング状である。携帯電話機１３の背面には、ベース板４８を取り付け、その両端部に設けた固定ピン４７ａ、４７ｂで前記指掛止部材４６の両端が固定されている。前記カバー材５０は、たとえばその裏面に溝を設け、その溝に紐状の指掛止部材４６を嵌め合わせる等の構造により、前記指掛止部材に対して着脱可能に形成されている。
【００３２】
このように構成することにより、前記カバー材は、外形を花や動物など様々な形状に象ったり、その表面に様々なデザインを施して、多種多様なものを用意し、需要者の嗜好に合わせて取り替えて使用することができるものである。
【００３３】
以上、本発明の実施の形態を図面に基づき説明してきたが、具体的な構成については、この実施の形態に限られるものではなく、特許請求の範囲の請求項に記載した発明の要旨を逸脱しない限り、設計の変更や追加等は許容される。たとえば、ベルト状または紐状の指掛止部材の固定部の構造については、携帯型操作機を使う人の手の指の太さに応じて前記指掛止部材と携帯型操作機の間の隙間の大きさを変えられるように、一方の固定端において前記指掛止部材の長さが調整できるものにしてもよい。
【図面の簡単な説明】
【００３４】
【図１】実施の形態１を示す正面図
【図２】実施の形態１を示す背面図
【図３】実施の形態２を示す側面図
【図４】実施の形態３を示す斜視図
【図５】実施の形態４を示す斜視図
【図６】実施の形態５を示す斜視図
【符号の説明】
【００３５】
１    ゲーム機用コントローラ
２    押しボタンスイッチ
３      押しボタンスイッチ
４    回転スイッチ
６    指掛止部材
８    携帯電話機
９    隙間
１１    カメラのレンズ部
１６    指掛止部材
２６    指掛止部材
３６    指掛止部材
４６    指掛止部材
５０    カバー材
【図１】
2007036619.tif 000003
【図２】
2007036619.tif 000004
【図３】
2007036619.tif 000005
【図４】
2007036619.tif 000006
【図５】
2007036619.tif 000007
【図６】
2007036619.tif 000008